(57)【要約】【課題】小形吸込口体が取り付けられている第１の吸込パイプから第２の吸込パイプを抜き外す際に、小形吸込口体を収納位置から使用位置まで自動的に回動させて、使用時の使い勝手を向上させることができる電気掃除機を提供すること。【解決手段】集塵室２に連通する塵埃吸込用の延長パイプ８が設けられ、ブラシ１３が延長パイプ８の先端部に沿う収納位置と延長吸込パイプ８の先端から突出する使用位置との間で回動可能に延長パイプ８に取り付けられ、延長パイプ８の先端部に接続パイプ１１ｂが接続される。しかも、ブラシ１３を使用位置に向けて回動付勢する捻りコイルバネ２３がブラシ１３と延長パイプ８との間に介装されていると共に、ブラシ１３を収納位置に位置させたときにブラシ１３を延長パイプ８に係止し且つ接続パイプ１１ｂを延長パイプ８の先端部から抜き取る際にブラシ１３の延長パイプ８への係止が解除されている状態とするロック手段２４がブラシ１３と延長パイプ８との間に介装されている。【選択図】  図５
2007014611.tif 000002
【特許請求の範囲】
【請求項１】
集塵室に連通する塵埃吸込用の第１の吸込パイプが設けられ、小形吸込口体が前記第１の吸込パイプの先端部に沿う収納位置と前記第１の吸込パイプの先端から突出する使用位置との間で回動可能に前記第１の吸込パイプに取り付けられ、前記第１の吸込パイプの先端部に第２の吸込パイプが接続される電気掃除機において、
前記小形吸込口体を使用位置に向けて回動付勢する回動付勢手段が前記小形吸込口体と前記第１の吸込パイプとの間に介装されていると共に、前記小形吸込口体を前記収納位置に位置させたときに前記小形吸込口体を第１の吸込パイプに係止し且つ前記第２の吸込パイプを前記第１の吸込パイプの先端部から抜き取る際に前記小形吸込口体の前記第１の吸込パイプへの係止が解除されている状態とするロック手段が前記小形吸込口体と前記第１の吸込パイプとの間に介装されていることを特徴とする電気掃除機。
【請求項２】
請求項１に記載の電気掃除機において、前記ロック手段は、前記小形吸込口体に設けられて、前記第２の吸込パイプを前記第１の吸込パイプの先端部に挿入接続する際に、前記第２の接続パイプにより押されて前記小形吸込口体の前記第１の吸込パイプへの係止を解除するロック部材を有することにより、前記第２の吸込パイプを前記第１の吸込パイプの先端部から抜き取る際に前記小形吸込口体の前記第１の吸込パイプへの係止が解除されている状態とすることを特徴とする電気掃除機。
【請求項３】
請求項２に記載の電気掃除機において、前記第１の吸込パイプの先端部の側部には内外周面に開口する軸支持孔が形成され、前記ロック部材は前記軸支持孔に挿通された小判形状の第１の回動軸であると共に、前記軸支持孔は互いに連設されたスリット状孔部と円形孔部を有し、前記スリット状孔部は前記回動軸を回転不能に且つ前記回動軸を前記第１の吸込パイプの延びる方向にガイド可能に設けられ、前記円形孔部は前記第１の吸込パイプの先端部とは反対側に位置させて前記スリット孔部に連設され且つ前記回動軸を回転可能な形状に設けられていることを特徴とする電気掃除機。
【請求項４】
請求項３に記載の電気掃除機において、前記第１の吸込パイプの先端部の前記側部とは反対側の側部には前記小形吸込口体側に向けて突出する支持突部が形成され、前記支持突部には前記第１の吸込パイプの延びる方向に延びる軸ガイド溝が形成され、前記軸ガイド溝には前記第１の回動軸と同軸に前記小形吸込口体に設けた第２の回動軸が回動自在且つ長手方向に移動可能に配設されていると共に、前記支持突部に捲回した捻りコイルバネの一端部を前記軸ガイド溝に係止させ、且つ前記捻りコイルバネの他端部を前記小形吸込口体に係止させて、前記捻りコイルバネにより前記小形吸込口体を前記第１の吸込パイプの先端から突出する使用位置側に向けて回動付勢したことを特徴とする電気掃除機。
【発明の詳細な説明】
【技術分野】
【０００１】
この発明は、通常の吸込口体より小さい小形吸込口体が吸込パイプの先端部に回動可能に取り付けられている電気掃除機に関するものである。
【背景技術】
【０００２】
従来の電気掃除機には、掃除機本体の集塵室に集塵ホースが接続され、この集塵ホースの自由端部に手元操作パイプ（吸込パイプである手元操作管）が接続され、この手元操作パイプの先端部に延長パイプ（吸込パイプである延長管）を介して大型吸込口体の接続パイプ（吸込パイプ）が接続されていると共に、手元操作パイプの先端部に断面Ｕ字状の毛ブラシ（小形吸込口体）が先端部に沿う収納位置と先端部から突出する使用位置との間で回動するように取り付けられたものが知られている（例えば、特許文献１参照）。
【特許文献１】特開２０００−７９０８２号公報
【発明の開示】
【発明が解決しようとする課題】
【０００３】
しかしながら、この電気掃除機では、小形吸込口体を収納位置から使用位置まで手動で回動させる必要があるため、使用時の使い勝手が悪いものであった。
【０００４】
そこで、この発明は、小形吸込口体が取り付けられている第１の吸込パイプから第２の吸込パイプを抜き外す際に、小形吸込口体を収納位置から使用位置まで自動的に回動させて、使用時の使い勝手を向上させることができる電気掃除機を提供することを目的とするものである。
【課題を解決するための手段】
【０００５】
この目的を達成するため、この発明は、集塵室に連通する塵埃吸込用の第１の吸込パイプが設けられ、小形吸込口体が前記第１の吸込パイプの先端部に沿う収納位置と前記第１の吸込パイプの先端から突出する使用位置との間で回動可能に前記第１の吸込パイプに取り付けられ、前記第１の吸込パイプの先端部に第２の吸込パイプが接続される電気掃除機において、前記小形吸込口体を使用位置に向けて回動付勢する回動付勢手段が前記小形吸込口体と前記第１の吸込パイプとの間に介装されていると共に、前記小形吸込口体を前記収納位置に位置させたときに前記小形吸込口体を第１の吸込パイプに係止し且つ前記第２の吸込パイプを前記第１の吸込パイプの先端部から抜き取る際に前記小形吸込口体の前記第１の吸込パイプへの係止が解除されている状態とするロック手段が前記小形吸込口体と前記第１の吸込パイプとの間に介装されている電気掃除機としたことを特徴とする。
【発明の効果】
【０００６】
この構成によれば、小形吸込口体が取り付けられている第１の吸込パイプから第２の吸込パイプを抜き外す際に、小形吸込口体を収納位置から使用位置まで自動的に回動させて、使用時の使い勝手を向上させることができる。
【発明を実施するための最良の形態】
【０００７】
以下、この発明の実施の形態を図面に基づいて説明する。
[構成]
図１において、１は電気掃除機の掃除機本体、２は掃除機本体１の前部に設けられた集塵室、３は集塵室２内に配設された紙パックフィルタ等の集塵袋、４は掃除機本体１の後部内に配設され且つ集塵室２に吸込負圧を作用させる電動送風機、５は一端が掃除機本体１に着脱可能に接続され且つ集塵室２に連通する集塵ホースである。
【０００８】
この集塵ホース５の他端部には手元操作パイプ（吸込パイプとしての手元操作管）６が設けられ、この手元操作パイプ６には操作パネル７が設けられている。
この操作パネル７には、「弱／中」吸込風量切り替え用のスイッチＳ１と、「強」吸込風量用のスイッチＳ２と、「切り」用のスイッチＳ３等が設けられている。
【０００９】
また、手元操作パイプ６には延長パイプ（第１の吸込パイプとしての延長管）８が接続されている。この延長パイプ８は、延長パイプ本体９と、吸込アタッチメント１０を有する。
【００１０】
この延長パイプ本体９は、一端が手元操作パイプ６に着脱可能に嵌着された第１のパイプ９ａと、この第１のパイプ９ａに伸縮自在に嵌合された第２のパイプ９ｂを有する。また、吸込アタッチメント１０には、通常の大きさの吸込口体１１が着脱可能に接続されている。
【００１１】
この吸込口体１１は、吸込口本体１１ａと、吸込口本体１１ａに任意の方向に傾動自在に取り付けられた接続パイプ（第２の吸込パイプ）１１ｂを有する。この接続パイプ１１ｂを任意の方向に傾動可能にする構造には周知の構造が採用できるので、その詳細な説明は省略する。
＜吸込アタッチメント１０＞
この吸込アタッチメント１０は、一端部（後端部）が図１の如く延長パイプ本体９の第２のパイプ９ｂに着脱可能に嵌着されたパイプ体（第１の吸込パイプの一部）１２と、パイプ体１２の他端部（先端部すなわち前端部）側に配設されたブラシ（小形吸込口体）１３を有する。
【００１２】
このブラシ１３は、通常の吸込口体１１よりも非常に小さく、樹脂製のブラシ本体１４と、このブラシ本体１４の端面に植毛されたブラシ毛１５を有する。
【００１３】
尚、パイプ体１２の一端部は吸込口体１１の接続パイプ１１ｂに着脱可能に嵌合（接続）されている。また、パイプ体１２の前端部の上側に位置する部分には図示しない配線や係止手段等を覆うカバーＣが着脱可能に取り付けられている。
【００１４】
また、ブラシ本体１４は、図３，図４，図５（ａ）に示したように、対向片１４ａ，１４ｂと、対向片１４ａ，１４ｂを連設している連設部１４ｃから略Ｕ字状に形成されている。そして、対向片１４ａ，１４ｂの端部には、図５（ａ）に示したように互いに接近する方向に突出し且つ同軸の回動軸１６，１７がそれぞれ一体に形成されている。尚、対向片１４ａ，１４ｂは、ブラシ本体１４をパイプ体１２に取り付ける際に、自己のバネ力に抗して互いに開く方向に弾性変形できるようになっている。
【００１５】
更に、パイプ体１２の他端部の一側部（一側壁部）１２ａには、図５（ａ），図５（ｂ）に示したようにバネ配設凹部１８が形成されていると共に、バネ配設凹部１８から突出する支持突部１９が一体に形成されている。この支持突部１９はパイプ体１２の延びる方向に細長く延設された一対の壁部１９ａ，１９ａからなり、この壁部１９ａ，１９ａ間にはパイプ体１２の長手方向に延びる段付溝（軸ガイド溝）２０が形成されている。このパイプ体１２の他端部の他側部（側部１２ａとは反対側の側部（側壁部））には図５（ａ）に示したように取付穴２１が形成されている。そして、段付溝２０の段溝部２０ａには回動軸１６が回動可能に係合し、取付穴２１には回動軸１７が回動可能に嵌着されている。
【００１６】
これにより、ブラシ本体１４すなわちブラシ１３は、パイプ体１２の他端部に回動自在に取り付けられている。このブラシ１３は、ブラシ本体１４及びブラシ毛１５がパイプ体１２の他端（先端）から突出する使用位置（図７参照）と、ブラシ本体１４及びブラシ毛１５がパイプ体１２に沿って一端側に向かう収納位置（図１〜図３参照）との間で回動するように設けられている。
【００１７】
また、対向片１４ａの対向片１４ｂへの対向面には、図３〜図５に示したように軸状のバネ係止突部（バネ係止部）２２が形成されている。しかも、支持突部１９の周囲に捲回した捻りコイルバネ（回動付勢手段）２３は、一端部２３ａが図５（ｂ），（ｃ）に示したように段付溝２０の底部側に係止され、他端部２３ｂが図５（ａ）に示したようにバネ係止突部２２に係止されている。この捻りコイルバネ２３は、ブラシ本体１４及びブラシ毛１５をパイプ体１２の他端（先端）から突出する使用位置（図７参照）側に回動付勢している。
＜ロック手段＞
また、パイプ体１２とブラシ１３との間には、ブラシ１３を収納位置にロックさせるロック手段２４が設けられている。
【００１８】
このロック手段２４は、ブラシ本体１４に設けた係止孔２５と、この係止孔２５に係止させる鈎状又はＬ字状の係止爪（ロック爪）２６を有する。この係止孔２５は、ブラシ１３を収納位置に位置させてブラシ本体１４の連設部１４ｃをパイプ体１２に沿わせたときに、パイプ体１２の連設部１４ｃに対向する（臨む）部分に形成されている。
【００１９】
この連設部１４ｃには、ブラシ１３を収納位置に位置させてブラシ本体１４の連設部１４ｃをパイプ体１２に沿わせたときに、係止孔２５に対応する挿通孔１４ｄが形成されている。
【００２０】
更に、連設部１４ｃの外面には、パイプ体１２の延びる方向と直交（交差）する方向に間隔をおいて設けられた軸受２７，２７が一体に形成されている。この軸受２７，２７には、パイプ体１２の延びる方向と直交（交差）する方向に延びる支持軸２８が取り付けられている。そして、この支持軸２８に係止爪２６の基端部が回動可能に取り付けられている。この係止爪２６は、挿通孔１４ｄに挿通されて先端の爪部２６ａが対向片１４ａ，１４ｂ間に突出している。
【００２１】
また、ロック手段２４は、支持軸２８に捲回された捻りコイルバネ２９を有する。この捻りコイルバネ２９は、係止爪２６の基端部と連設部１４ｃの外面との間に介装されて、係止爪２６を図６中反時計回り方向に回動付勢している。尚、図３では、図示の便宜上、図５の捻りコイルバネ２９の図示を省略している。
[作用]
次に、このような電気掃除機の作用を説明する。
（１）吸込口体１１による通常の清掃
通常の清掃時には、ブラシ１３をパイプ体１２に沿わせた収納位置に位置させた状態で、延長パイプ８の一部である吸込アタッチメント１０のパイプ体１２に吸込口体１１の接続パイプ１１ｂが着脱可能に接続（嵌着）されている。
【００２２】
そして、手元操作パイプ７に設けられたスイッチＳ１又はＳ２を入れると、電動送風機４が駆動される。電動送風機４が駆動すると吸込負圧が発生し、集塵室２，紙パックフィルタ３，集塵ホース５，手元操作パイプ６，延長管８を介して吸込口体１１の吸込室（図示せず）に吸込負圧が作用する。
【００２３】
この吸込負圧によって吸込口体１１の底面に設けた吸込室の吸込開口（図示せず）から被清掃面上の塵埃及び空気が吸い込まれる。この吸い込まれた塵埃及び空気は、延長管８，手元操作パイプ６，集塵ホース５を介して集塵室２内の紙パックフィルタ３へ吸い込まれていく。この際、塵埃は紙パックフィルタ３に捕集され、空気は紙パックフィルタ３を透過して電動機室内の電動送風機４に吸い込まれる。この電動送風機４に吸い込まれた空気は、電動送風機４の内部を冷却した後に掃除機本体１の図示しない排気孔から排気される。従って、このような状態で吸込口体１１を清掃面上で移動させることにより、清掃面を清掃することができる。
（２）吸込口体１１の延長パイプ８への取り付け
ところで、延長パイプ８の一部である吸込アタッチメント１０のパイプ体１２を吸込口体１１の接続パイプ１１ｂから取り外した状態では、吸込アタッチメント１０のブラシ１３は図５（ａ）〜図５（ｃ）の捻りコイルバネ２３のバネ力によりパイプ体１２の他端部（先端部）から突出する方向に回動付勢されている。
【００２４】
そして実際に、ブラシ１３すなわちブラシ本体１４及びブラシ毛１５は、捻りコイルバネ２３のバネ力により図７に示したようにパイプ体１２の他端部（先端部）から傾斜するように突出させられて、使用位置に位置している。
【００２５】
この使用位置では、ブラシ本体１４の連設部１４ｃがブラシ毛１５を設けた側とは反対側の端部がパイプ体１２の端部に当接して、ブラシ１３が捻りコイルバネ２３のバネ力によりそれ以上回動せずに傾斜した状態を保っている。
【００２６】
この状態から、延長パイプ８の一部である吸込アタッチメント１０のパイプ体１２に吸込口体１１の接続パイプ１１ｂを接続（嵌着）するには、先ずブラシ１３を図５（ａ）〜図５（ｃ）の捻りコイルバネ２３のバネ力に抗して、図３，図４及び図６（ａ）に示したようにパイプ体１２に沿う収納位置まで回動させる。
【００２７】
この際、ロック手段２４の係止爪２６の先端の爪部２６ａは、図５（ａ）の捻りコイルバネ２９のバネ力に抗してパイプ体１２の係止孔２５に係合した後、図６（ａ）の如くパイプ体１２内に突出すると共に、図５（ａ）の捻りコイルバネ２９のバネ力により図６（ａ）の如く係止孔２５の端縁部に係止させられ、ブラシ１３が使用位置側に回動するのを規制（ロック）している状態となる。
【００２８】
尚、係止爪２６は、爪部２６ａが図６（ａ）の如くパイプ体１２の係止孔２５に係合していない状態で、図６（ａ）の如く挿通孔１４ｄの端縁に当接してパイプ体１２の他端（先端）側から離反する方向に傾斜するようになっている。このため、パイプ体１２の他端（先端）と爪部２６ａとの距離がパイプ体１２の他端（先端）と支持軸２８の距離よりも長くなっている。この結果、係止爪２６は、ブラシ１３を収納位置側に回動する際、爪部２６ａがパイプ体１２の外周面に当接した後に、捻りコイルバネ２９のバネ力に抗して支持軸２８の回りに爪部２６ａが挿通孔１４ｄ側に移動するように回動させられる。
【００２９】
この状態で、延長パイプ８の一部である吸込アタッチメント１０のパイプ体１２に吸込口体１１の接続パイプ１１ｂを接続（嵌着）する。この際、ブラシ１３のブラシ毛１５がパイプ体１２の先端から突出していないので、パイプ体１２と接続パイプ１１ｂとの位置関係が容易に把握でき、接続パイプ１１ｂをパイプ体１２に迅速且つ容易に嵌着（接続）できる。
【００３０】
そして、この嵌着に際しては、先ず接続パイプ１１ｂが図６（ｂ）の如く係止爪２６の先端の爪部２６ａに当接する。
【００３１】
この位置から更に接続パイプ１１ｂを図６（ｃ）の如くパイプ体１２内に押し込むと、接続パイプ１１ｂは係止爪２６の先端の爪部２６ａを捻りコイルバネ２９のバネ力に抗してパイプ体１２内から押し出す。この際、係止爪２６の先端の爪部２６ａは図６（ｃ）の如く係止孔２５の端縁に捻りコイルバネ２９のバネ力で係止させられた状態となる。一方、ブラシ１３が図５（ａ）〜図５（ｃ）の捻りコイルバネ２３のバネ力により使用位置側に回動させられて、ブラシ１３のブラシ本体１４が接続パイプ１１ｂの外周面に当接させられる。この状態では、捻りコイルバネ２３のバネ力が捻りコイルバネ２９のバネ力よりも大きいので、ロック手段２４の係止爪２６によるブラシ１３の収納位置へのロック状態（係止状態）が解除されている。
【００３２】
このような吸込口体１１の延長パイプ８への取り付けにより、上述したような吸込口体１１の通常の清掃を行うことができる。
（３）ブラシ１３による清掃
上述したように延長パイプ８の一部である吸込アタッチメント１０のパイプ体１２を吸込口体１１の接続パイプ１１ｂに接続した状態では、ロック手段２４の係止爪２６によるブラシ１３の収納位置へのロック状態（係止状態）が解除されている。
【００３３】
この状態から接続パイプ１１ｂをパイプ体１２から抜き取ると捻りコイルバネ２３は、係止爪２６の先端の爪部２６ａを捻りコイルバネ２９のバネ力に抗して係止孔２５内から抜き取るように、ブラシ１３を使用位置側に自動的に回動させる。
【００３４】
そして、最終的には、ブラシ１３すなわちブラシ本体１４及びブラシ毛１５は、捻りコイルバネ２３のバネ力により図７に示したようにパイプ体１２の他端部（先端部）から傾斜するように突出させられて、使用位置に位置させられる。
【００３５】
この使用位置では、ブラシ本体１４の連設部１４ｃがブラシ毛１５を設けた側とは反対側の端部がパイプ体１２の端部に当接して、ブラシ１３が捻りコイルバネ２３のバネ力によりそれ以上回動せずに傾斜した状態を保っている。
【００３６】
この状態では、上述したように電動送風機４を作動させることにより、吸込アタッチメント１０のブラシ（小形吸込口体本体）１３の部分から塵埃及び空気を吸い込んで、塵埃を上述したように紙パックフィルタ３に捕集することができるので、例えば建具の桟等の狭い部分をブラシ１３により清掃することができる。
（変形例１）
[構成]
上述した実施例では、ブラシ１３を収納位置にロック手段２４でロックするようにした例を示したが必ずしもこれに限定されるものではない。このロック手段２４に変えて、例えば図８〜図１４に示したようにブラシ１３をパイプ体１２の長手方向にスライドさせるロック手段（ロック機構）３０を設けた構成としても良い。
【００３７】
このロック手段３０は、図８（ａ）の如く、パイプ体１２の他側部１２ｂに内外周面に開口させた軸支持孔３１と、パイプ体１２の他側部１２ｂの外周面に設けられたロック溝（係止溝）３２と、ブラシ本体１４の対向片１４ｂに設けられ且つ軸支持孔３１に挿通された小判形状の回動軸（ロック部材）３３と、ブラシ本体１４の対向片１４ｂに設けられ且つロック溝３２に係合させられる軸状のロック突部（ロック部材）３４を有する。
【００３８】
また、軸支持孔３１は、図８（ａ），（ｂ）の如く、互いに連設されたスリット状孔部３１ａと円形孔部３１ｂを有する。このスリット状孔部３１ａは、回動軸３３を回転不能に、且つ、パイプ体１２（第１の吸込パイプの一部）の延びる方向に延設されて、回動軸３３をパイプ体１２の延びる方向にガイド可能に設けられている。また、円形孔部３１ｂは、パイプ体１２の先端部とは反対側に位置させて、スリット孔部３１ａに連設され且つ回動軸３３を回転可能な形状に設けられている。
【００３９】
更に、ロック溝３２は、スリット状孔部３１ａと平行に延びる係止溝部３２ａと、係止溝部３２ａのパイプ体１２の先端とは反対側の端部に一端が連設されたガイド溝部３２ｂを有する。このガイド溝部３２ｂは他端が開放している。しかも、ガイド溝部３２ｂは、円形孔部３１ｂと略同心に設けられていて、回動軸３３を円形孔部３１ｂ内に位置させて、ブラシ１３を回動軸３３と一体に収納位置側に回動させる際には、ロック突部３４を係止溝部３２ａ側にガイドするようになっている。また、回動軸３３を円形孔部３１ｂ内に位置させて、ブラシ１３を収納位置にある状態から使用位置側に回動軸３３と一体に回動させる際は、ロック突部３４を係止溝部３２ａから抜き取る方向にガイドするようになっている。
【００４０】
尚、パイプ体１２の一側部１２ａには図９，図１０，図１２に示したように上述したバネ配設凹部１８及び支持突部１９が設けられ、このバネ配設凹部１８内には支持突部１９の長手方向の中央部の外側に位置させて円柱状のバネ移動規制突部３５，３５が設けられている。これにより、捻りコイルバネ２３が回動軸１６の中心方向にずれないようになっている。尚、捻りコイルバネ２３はバネ配設凹部１８に接触して回動軸１６の半径方向にもずれないようになっている。この捻りコイルバネ２３は、回動軸１６をスリット状孔部３１ａの円形孔部３１ｂとは反対側にバネ付勢している。また、捻りコイルバネ２３は、上述した実施例と同様にして、ブラシ１３とパイプ体１２との間に介装されている（図１１〜図１３参照）。
【００４１】
また、図１４に示したように吸込口体１１の接続パイプ１１ｂは小径部１１ｂ１と大径部１１ｂ２を有し、小径部１１ｂ１と大径部１１ｂ２との間には段差部１１ｂ３が設けられている。しかも、パイプ体１２内には段付接続孔３６が形成されている。この段付接続孔３６は、先端側の大径孔部３６ａと、これに連設された小径孔部３６ｂを有する。
[作用]
次に、このようなロック手段３０の作用を説明する。
（ａ）．ブラシ１３の収納位置へのロック
ブラシ１３が図８に示したように使用位置にある状態では、小判形状の回動軸３３の長手方向がスリット状孔部３１ａに臨まない状態で円形孔部３１ｂ内に位置している。この状態から、ブラシ１３を収納位置側に回動させると、回動軸３３が円形孔部３１ｂ内で回動する。
【００４２】
そして、ブラシ１３が収納位置に近づくと、ブラシ１３のロック突部３４がガイド溝部３２ｂに係合する。更に、ブラシ１３を収納位置まで回動させると、小判形状の回動軸３３の長手方向の一端がスリット状孔部３１ａに臨むと共に、ロック突部３４がロック溝３２の係止溝部３２ａに臨む位置までガイドさせられる。
【００４３】
一方、ブラシ１３が捻りコイルバネ２３のバネ力によりパイプ体１２の先端側にバネ付勢させられている。この結果、小判形状の回動軸３３の長手方向の一端がスリット状孔部３１ａに臨むと共に、ロック突部３４がロック溝３２の係止溝部３２ａに臨むと、回動軸３３が捻りコイルバネ２３のバネ力によりスリット状孔部３１ａ内をパイプ体１２の先端側に移動すると同時に、ロック突部３４が係止溝部３２ａ内を回動軸３３と一体にパイプ体１２の先端側に移動して、ブラシ１３が収納位置にロックされる（図１４（ａ）参照）。
（ｂ）接続パイプ１１ｂのパイプ体１２への接続及びブラシ１３のロック解除
この状態から、図１４（ｂ）のようにパイプ体１２の先端部内に接続パイプ１１ｂを挿入すると、接続パイプ１１ｂの小径部１１ｂ１がパイプ体１２の小径孔部３６ｂ内に嵌合されて、接続パイプ１１の段差部１１ｂ３がブラシ１３側の回動軸３３をパイプ体１２の先端とは反対方向に捻りコイルバネ２３のバネ力に抗して移動させる。
【００４４】
この移動に伴い、図１４（ｃ）のごとく、回動軸３３が円形孔部３１ｂ内に移動させられると同時に、ロック突部３４がガイド溝部３２ｂに臨むと、ブラシ１３が捻りコイルバネ２３のバネ力により使用位置側に回動させられて、回動軸３３が円形孔部３１ｂ内で回動すると同時に、ロック突部３４が図１４（ｄ）のごとくガイド溝部３２ｂ内を抜け外れる方向に移動して、ブラシ１３のブラシ本体１４が図１４（ｄ）のごとく接続パイプ１１ｂ２の外周面に当接し、ロック手段３０（回動軸３３，ロック突部３４等を含む）によるブラシ１３の収納位置へのロックが解除される。
（ｃ）ブラシ１３の使用位置への回動
図１４（ｄ）の状態から、接続パイプ１１ｂをパイプ体１２から抜き取ると、ブラシ１３は捻りコイルバネ２３のバネ力により使用位置側に回動させられると共に、回動軸３３が円形孔部３１ａ内で回動させられる。
【００４５】
そして、ブラシ１３のブラシ本体１４が図８，図９の如くパイプ体１２に当接して、ブラシ本体１４及びブラシ毛１５がパイプ体１２の先端から突出して傾斜することにより、ブラシ１３が使用位置に位置させられる。
（変形例２）
図１５は、図８〜図１４の吸込アタッチメント１０の変形例２を示したものである。本変形例２においては、図１５（ｂ）及び図１６（ａ）に示したロック手段３０のロック溝４０を図８に示したロック溝３２に代えて設けている。このロック溝４０は、図１６（ａ）に示したように軸挿通孔３１の円形孔部３１ｂの後方に位置させた係止溝部４１と、係止溝部４１に連設した円弧状のガイド溝部４２を有する。
【００４６】
この係止溝部４１は支持リブ４３と係止リブ４４との間に形成されている。この支持リブ４３は、円形孔部３１ｂの後方で且つカバーｃ側に位置して前後に延びる支持部４３ａと、支持部４３ａの前端からカバーｃ側に傾斜する傾斜支持部４３ｂを有する。
【００４７】
また、係止リブ４４は、円形孔部３１ｂの後下部から斜め後下方に円弧状に形成されている。尚、係止リブ４４は下側に凸形状に形成されている。
【００４８】
更に、ガイド溝部４２は、パイプ体１２と一体に形成した円弧状の内リブ４５と外リブ４６との間に形成されている。この内リブ４５及び外リブ４６は円形孔部３１ｂと同心に設けられている。また、内リブ４５は、スリット状孔部３１ａの先端側から円形孔部３１ｂの後方まで延びている。しかも、内リブ４５の後端は係止リブ４４の後端に連設され、外リブ４６の後端は支持リブ４３の後端に連設されている。
【００４９】
そして、軸挿通孔３１には、図１６（ｂ）および図１７（ｂ）に示した回動軸３３が図１５（ａ）及び図１５（ｂ）に示したように挿通されている。これに加えて、図１７（ｂ）に示した回動軸１６を図１７（ａ）に示した段付溝２０に係合させることにより、図１５（ａ）に示したようにブラシ本体１４がパイプ体１２の前端部に保持されている。尚、図示は省略したが図１２の捻りコイルバネ２３と同様な捻りコイルバネが設けられる。
【００５０】
さらに、ロック溝４０には、図１６（ｂ）に示した軸状のロック突部（ボス部）３４が係合させられるようになっている。また、パイプ体１２の側部１２ｂにはスリット状孔部３１ａの前端より前側且つカバーｃ側に位置させて係止突部４７が突設され、ブラシ本体１４の対向片１４ｂにはロック突部３４に近接して被係止突部４８が突設されている。
【００５１】
尚、このような構成以外の部分は変形例１と同じ構成であるので、変形例１と同じ部分には変形例１と同じ符号を付してその説明を省略する。
【００５２】
このような構成において、係止溝４１及びガイド溝部４２は、変形例１の係止溝部３２ａ及びガイド溝部３２ｂと同様な作用を有する。しかも、ブラシ１３の収納位置では、図示しない捻りコイルバネのバネ力により、回動軸３３がスリット状孔部３１ａ内に位置させられると共に、ロック突部３４が係止リブ４４に当接させられてガイド溝部４２側に移動できないようになっている。
【００５３】
そして、図１４に示した接続パイプ１１ｂが図１４（ｃ）のように回動軸３３を押圧移動させると、回動軸３３が円形孔部３１ｂ内に移動させられると共に、ロック突部３４が図１６（ａ）の円弧状のガイド溝部４２に臨むことになる。この位置において図示しない捻りコイルバネは、ロック突部３４が円弧状のガイド溝部４２内に入り込むように、ブラシ１３を回動させてブラシ本体１４を図１４（ｄ）のように接続パイプ１１ｂに当接させる。これにより、ブラシ１３の収納位置におけるロックが解除される。
【００５４】
この後、図示しない捻りコイルバネは、図１４（ｄ）と同様な状態において接続パイプ１１ｂをパイプ体１２から抜き取ることにより、ロック突部３４が円弧状のガイド溝部４２に沿って前側に移動するように、ブラシ１３を使用位置側に回動させる。そして、ブラシ１３の被係止突部４８は、パイプ体１２の係止突部４７をカバーｃ側に乗り越えて、係止突部４７に係止される。この位置では、ブラシ１３がパイプ体１２から前側に突出すると共に、ブラシ本体１４がカバーｃに当接する。従って、この状態ではブラシ１３を前後動操作してもブラシ１３がふらつくことがなく、清掃がし易い。
（変形例３）
図１８〜図２７は、吸込アタッチメント１０の他の変形例３を示したものである。この変形例３は、パイプ体１２にロック手段５０を設けた例を示したものである。
【００５５】
このパイプ体１２は下壁部１２ｃを有し、この下壁部１２ｃの外面には図１８〜図２０に示したように下カバー５１がネジ５２により着脱可能に取り付けられている。
【００５６】
この下壁部１２ｃと下カバー５１には前端に開放する切欠５３，５４がそれぞれ形成されている。この下壁部１２ｃの外面には、図２３，図２６に示したように切欠５３を挟むように軸受突起５５，５５が突設されている。また、下カバー５１の内面には、図２６，図２７に示したように軸受突起５５，５５にそれぞれ対向するように軸受突起５６，５６が突設されている（図２４参照）。しかも、図２６，図２７に示したように対向する各軸受突起５５，５６及び５５，５６はそれぞれ互いに当接していて、軸受突起５５，５６及び５５，５６間には軸受孔５７，５７がそれぞれ形成されている。
【００５７】
また、ロック手段５０は、図１８に示したロック部材である係止レバー５８（図２０〜図２５参照）と、係止レバー５８を回動付勢するコイルスプリング５９を有する。この係止レバー５８は、図１８，図２０（ｂ）に示したように下壁部１２ｃと下カバー５１との間に配設されていて、前後に延びている。
【００５８】
この係止レバー５８は、前後方向の中間部に軸受孔５７，５７に回動自在に保持された回動軸部５８ａ，５８ａと、前端部に設けられ且つ下カバー５１の切欠５４側に突出する係止爪部６０と、後端部に設けられ且つパイプ体１２内に突出する膨出突部６１を有する。
【００５９】
この膨出突部６１には、前端側に位置して、突出端に向けて後端側に傾斜する傾斜ガイド面（傾斜ガイド部）６１ａが形成されている。従って、図１に示した吸込口体１１の接続パイプ１１ｂを図１８の如くパイプ体１２内に嵌合すると、接続パイプ１１ｂの先端で傾斜ガイド面６１ａを押すことができる。
【００６０】
また、係止爪部６０は、前端側に傾斜し、前側には後方にＲ状に傾斜する傾斜ガイド面（傾斜ガイド部）６０ａが形成されている。
【００６１】
しかも、下カバー５１の内面には膨出突部６１に対向してバネ受け突部６２が形成され、この膨出突部６１とバネ受け突部６２との間に上述したコイルスプリング５９が介装されている。
【００６２】
尚、パイプ体１２の側壁部１２ｂには図２２，図２３に示したように円形状の筒部６３が形成され、筒部６３内にはＣ字状の軸受筒部６４が同心に形成されている。そして、この軸受筒部６４内にはブラシ本体１４の対向片１４ｂに設けられた円柱状の回動軸（図示せず）が回転自在に嵌合される。しかも、パイプ体１２の側壁部１２ａには軸受筒部６４と同軸の軸受筒部（図示せず）が設けられていて、この軸受筒部（図示せず）にはブラシ本体１４の対向片１４ａに設けられた円柱状の回動軸（図５（ａ）の回動軸１６）が回転自在に嵌合される。これにより、ブラシ１３は収納位置と使用位置との間で回動できるようになっている。
【００６３】
また、筒部６３内には軸受筒部６４に連設された平行なリブ６５，６５が形成されている。このリブ６５，６５間には図５に示した捻りコイルバネ２３の一端部を係止する係止溝６６が形成されている。この捻りコイルバネ２３の他端部は図５（ａ）のバネ係止突部２２と同様なバネ係止突部（図示せず）に係止される。これにより、ブラシ１３は使用位置側に回動付勢されている。
【００６４】
更に、ブラシ本体１４の連設部１４ｃの中央部には、ブラシ１３の収納位置で切欠５４内に配設される係止突部６２が形成されている。この係止突部６２の後側角部には筒状の面取寸法より大きなＲ形状のガイド面６２ａが形成され、係止突部６２の前側角部には先端に向かって後方に傾斜する傾斜面６２ｂが形成されている。
【００６５】
従って、ブラシ１３を使用位置から収納位置に回動させる際に、係止突部６２のガイド面６２ａがコイルスプリング５９のバネ力に抗して係止爪部６０の傾斜ガイド面６０ａを押して、係止突部６２が係止爪部６０を乗り越えて、この係止突部６２の傾斜面６２ｂが係止爪部６０の後面に係合することができる。この位置はブラシ１３の収納位置になり、ブラシ１３がコイルスプリング５９のバネ力により使用位置に回動しないように係止爪部６０と係止突部６２によりロックされている状態となる。
【００６６】
一方、図１に示した吸込口体１１の接続パイプ１１ｂを図１８の如くパイプ体１２内に嵌合して更に押し込むと、接続パイプ１１ｂの先端が係止レバー５８に設けた膨出突部６１の傾斜ガイド面６１ａをコイルスプリング５９のバネ力に抗して押圧して、膨出突部６１を下カバー５１側に回動させる。
【００６７】
これに伴い、係止レバー５８の係止爪部６０がパイプ体１２側に回動させられて、係止爪部６０がブラシ１３の係止突部６２から離反して、ブラシ１３が図示しない捻りコイルバネ（図５の捻りコイルバネ２３と同じ）により使用位置側に回動させられ、ブラシ１３のブラシ本体１４が接続パイプ１１ｂに図６（ｃ）又は図１４（ｄ）の如く当接させられ、ブラシ１３の収納位置におけるロック状態が解除される。
【００６８】
この後、接続パイプ１１ｂをパイプ体１２から抜き取ることにより、ブラシ１３は図示しない捻りコイルバネ（図５の捻りコイルバネ２３と同じ）により使用位置まで回動させられる。
【００６９】
以上説明したように、この発明の実施の形態の電気掃除機では、集塵室２に連通する塵埃吸込用の第１の吸込パイプ（延長パイプ８）が設けられ、小形吸込口体（ブラシ１３）が前記第１の吸込パイプ（延長パイプ８）の先端部に沿う収納位置と前記吸第１の吸込パイプ（延長パイプ８）の先端から突出する使用位置との間で回動可能に前記第１の吸込パイプ（延長パイプ８）に取り付けられ、前記第１の吸込パイプ（延長パイプ８）の先端部に第２の吸込パイプ（吸込口体１１の接続パイプ１１ｂ）が接続される。しかも、前記小形吸込口体（ブラシ１３）を使用位置に向けて回動付勢する回動付勢手段（捻りコイルバネ２３）が前記小形吸込口体（ブラシ１３）と前記第１の吸込パイプ（延長パイプ８）との間に介装されていると共に、前記小形吸込口体（ブラシ１３）を前記収納位置に位置させたときに前記小形吸込口体（ブラシ１３）を第１の吸込パイプ（延長パイプ８）に係止し且つ前記第２の吸込パイプ（接続パイプ１１ｂ）を前記第１の吸込パイプ（延長パイプ８）の先端部から抜き取る際に前記小形吸込口体（ブラシ１３）の前記第１の吸込パイプ（延長パイプ８）への係止が解除されている状態とするロック手段（２４，３０，５０）が前記小形吸込口体（ブラシ１３）と前記第１の吸込パイプ（延長パイプ８）との間に介装されている。
【００７０】
この構成によれば、前記第２の吸込パイプ（接続パイプ１１ｂ）を前記第１の吸込パイプ（延長パイプ８）の先端部から抜き取る際に前記小形吸込口体（ブラシ１３）の前記第１の吸込パイプ（延長パイプ８）への係止が解除されている状態とするので、小形吸込口体（ブラシ１３）が取り付けられている第１の吸込パイプ（延長パイプ８）から第２の吸込パイプ（接続パイプ１１ｂ）を抜き外す際に、小形吸込口体（ブラシ１３）を回動付勢手段（捻りコイルバネ２３）により収納位置から使用位置まで自動的に回動させて、使用時の使い勝手を向上させることができる。
【００７１】
しかも、この構成によれば、小形吸込口体（ブラシ１３）を収納位置にロックした状態では、第１の吸込パイプ（延長パイプ８）の先端部を確認する際に小形吸込口体（ブラシ１３）が邪魔にならず、第１の吸込パイプ（延長パイプ８）の先端部を確実に見ることができるので、第１の吸込パイプ（延長パイプ８）と第２の吸込パイプ（接続パイプ１１ｂ）とを迅速且つ容易に接続することができる。
【００７２】
尚、上述した実施例では小形吸込口体として略Ｕ字状のブラシ１３を用いた例を示したが、小形吸込口体としてはこれに限定されるものではない。例えば、ツル口等を小形吸込口体として用いることも可能である。
【００７３】
また、この発明の実施の形態の電気掃除機において前記ロック手段（２４，３０，５０）は、前記小形吸込口体（ブラシ１３）に設けられて、前記第２の吸込パイプ（接続パイプ１１ｂ）を前記第１の吸込パイプ（延長パイプ８）の先端部に挿入接続する際に、前記第２の接続パイプ（接続パイプ１１ｂ）により押されて前記小形吸込口体（ブラシ１３）の前記第１の吸込パイプ（延長パイプ８）への係止を解除するロック部材（係止爪２６，回動軸３３，ロック突部３４，係止レバー５８）を有する。これにより、前記第２の吸込パイプ（接続パイプ１１ｂ）を前記第１の吸込パイプ（延長パイプ８）の先端部から抜き取る際に前記小形吸込口体（ブラシ１３）の前記第１の吸込パイプ（延長パイプ８）への係止が解除されている状態とする。
【００７４】
この構成によれば、前記第２の吸込パイプ（接続パイプ１１ｂ）を前記第１の吸込パイプ（延長パイプ８）の先端部に挿入接続する際に、前記ロック手段（２４，３０，５０）の前記ロック部材（係止爪２６，回動軸３３，ロック突部３４，係止レバー５８）が前記第２の吸込パイプ（接続パイプ１１ｂ）により押されて前記小形吸込口体（ブラシ１３）の前記第１の吸込パイプ（延長パイプ８）への係止を解除することにより、前記第２の吸込パイプ（接続パイプ１１ｂ）を前記第１の吸込パイプ（延長パイプ８）の先端部から抜き取る際に前記小形吸込口体（ブラシ１３）の前記第１の吸込パイプ（延長パイプ８）への係止が解除されている状態とする。この結果、小形吸込口体（ブラシ１３）が取り付けられている第１の吸込パイプ（延長パイプ８）から第２の吸込パイプ（接続パイプ１１ｂ）を抜き外す際に、小形吸込口体（ブラシ１３）を回動付勢手段（捻りコイルバネ２３）により収納位置から使用位置まで自動的に回動させて、使用時の使い勝手を向上させることができる。
【００７５】
また、この発明の実施の形態の電気掃除機において、前記第１の吸込パイプ（延長パイプ８）の先端部の側部（１２ｂ）には内外周面に開口する軸支持孔３１が形成され、前記ロック部材は前記軸支持孔３１に挿通された小判形状の第１の回動軸（回動軸３３）であると共に、前記軸支持孔３１は互いに連設されたスリット状孔部３１ａと円形孔部３１ｂを有し、前記スリット状孔部３１ａは前記回動軸（３３）を回転不能に且つ前記回動軸（３３）を前記第１の吸込パイプ（延長パイプ８）の延びる方向にガイド可能に設けられ、前記円形孔部３１ｂは前記第１の吸込パイプ（延長パイプ８）の先端部とは反対側に位置させて前記スリット孔部３１ａに連設され且つ前記回動軸（３３）を回転可能な形状に設けられている。
【００７６】
この構成によれば、簡単な構成で小形吸込口体（ブラシ１３）を収納位置にロックできる。
【００７７】
また、この発明の実施の形態の電気掃除機において、前記第１の吸込パイプ（延長パイプ８）の先端部の前記側部（１２ｂ）とは反対側の側部（１２ａ）には前記小形吸込口体（ブラシ１３）側に向けて突出する支持突部（１９）が形成され、前記支持突部（１９）には前記第１の吸込パイプ（延長パイプ８）の延びる方向に延びる軸ガイド溝（段付溝２０）が形成され、前記軸ガイド溝（段付溝２０）には前記第１の回動軸（回動軸３３）と同軸に前記小形吸込口体（ブラシ１３）に設けた第２の回動軸（回動軸１７）が回動自在且つ長手方向に移動可能に配設されていると共に、前記支持突部（１９）に捲回した捻りコイルバネ２３の一端部を前記軸ガイド溝（段付溝２０）に係止させ、且つ前記捻りコイルバネ２３の他端部を前記小形吸込口体（ブラシ１３）に係止させて、前記捻りコイルバネ２３により前記小形吸込口体（ブラシ１３）を前記第１の吸込パイプ（延長パイプ８）の先端から突出する使用位置側に向けて回動付勢している。
【００７８】
この構成によれば、第２の回動軸（回動軸１７）が回動自在に支持された軸ガイド溝（段付溝２０）を捻りコイルバネの一端部の係止に利用しているので、第１の吸込パイプ（延長パイプ８）に捻りコイルバネ２３の係止部を別途設ける必要がない。
【図面の簡単な説明】
【００７９】
【図１】この発明に係る電気掃除機の概略斜視図である。
【図２】図１の通常の吸込口体と吸込アタッチメントとの関係を示す斜視図である。
【図３】図２の吸込アタッチメントのみを逆さにして示した斜視図である。
【図４】図３の吸込アタッチメントを別の角度から見た部分斜視図である。
【図５】（ａ）は図１〜図４の吸込アタッチメントの断面図、（ｂ）は（ａ）の要部拡大図、（ｃ）は（ｂ）のＡ１−Ａ１線に沿う断面図である。
【図６】（ａ）〜（ｃ）は図１〜図５の吸込アタッチメントの作用説明図である。
【図７】図１〜図５の吸込アタッチメントのブラシが使用状態にあるときの斜視図である。
【図８】（ａ）は図１の吸込アタッチメントの変形例を示す斜視図、（ｂ）は（ａ）の要部拡大説明図である。
【図９】図８（ａ）のブラシが使用位置にある状態の吸込アタッチメントを反対側から見た斜視図である。
【図１０】図９のブラシが収納位置にある状態の吸込アタッチメントの斜視図である。
【図１１】図９の吸込アタッチメントの概略説明図である。
【図１２】図９〜図１１の捻りコイルバネのパイプ体への取付部の拡大説明図である。
【図１３】図１２のＡ２−Ａ２線に沿う断面図である。
【図１４】（ａ）〜（ｄ）は図８〜図１３の吸込アタッチメントの作用説明図である。
【図１５】（ａ）は図１の吸込アタッチメントの他の変形例を示す斜視図（ｂ）は（ａ）の吸込アタッチメントを別の角度から見た斜視図である。
【図１６】（ａ）はブラシを取り外した状態で図１５（ｂ）の吸込アタッチメントのパイプ体を矢印Ａ３方向から見た斜視図、（ｂ）は図１５（ｂ）のブラシを矢印Ａ３とは反対方向から見た斜視図である。
【図１７】（ａ）はブラシを取り外した状態で図１５（ａ）の吸込アタッチメントのパイプ体を矢印Ａ４方向から見た斜視図、（ｂ）は図１５（ａ）のブラシを矢印Ａ４とは反対方向から見た斜視図である。
【図１８】（ａ）は他の変形例を示す吸込アタッチメントと吸込口体の接続パイプとの関係の断面図、（ｂ）は（ａ）の矢印Ａ５の部分拡大図である。
【図１９】（ａ）は図１８（ａ）の吸込アタッチメントの斜視図、（ｂ）は（ａ）の吸込アタッチメントを別の角度から見た斜視図である。
【図２０】（ａ）は図１９（ａ）の吸込アタッチメントを矢印Ａ６方向から見た説明図、（ｂ）は（ａ）のＡ７−Ａ７線に沿う断面図である。
【図２１】図２０（ｂ）のブラシ及び下カバーを取り外してパイプ体を下部側から見た説明図である。
【図２２】図２１の矢印Ａ８方向から見た説明図である。
【図２３】図２２のパイプ体の斜視図である。
【図２４】図１８の下カバーの斜視図である。
【図２５】図１８の係止レバーの斜視図である。
【図２６】図１８の係止レバーの支持部の断面図である。
【図２７】図２６の係止レバーの支持部の側面図である。
【符号の説明】
【００８０】
２…集塵室
８…延長パイプ（第１の吸込パイプ）
１１…吸込口体
１１ｂ…接続パイプ（第２の吸込パイプ）
１２…パイプ体
１２ａ，１２ｂ…側部
１３…ブラシ（小形吸込口体）
１７…回動軸（第２の回動軸）
１９…支持突部
２０…段付溝（軸ガイド溝、軸支持溝）
２３…捻りコイルバネ（回動付勢手段）
２４，３０，５０…ロック手段
２６…係止爪（ロック部材）
３０…ロック手段
３１…軸支持孔
３１ａ…スリット孔部
３１ｂ…円形孔部
３３…回動軸（第１の回動軸、ロック部材）
３４…ロック突部３４（ロック部材）
５０…ロック手段
５８…係止レバー（ロック部材）
【図１】
2007014611.tif 000003
【図２】
2007014611.tif 000004
【図３】
2007014611.tif 000005
【図４】
2007014611.tif 000006
【図５】
2007014611.tif 000007
【図６】
2007014611.tif 000008
【図７】
2007014611.tif 000009
【図８】
2007014611.tif 000010
【図９】
2007014611.tif 000011
【図１０】
2007014611.tif 000012
【図１１】
2007014611.tif 000013
【図１２】
2007014611.tif 000014
【図１３】
2007014611.tif 000015
【図１４】
2007014611.tif 000016
【図１５】
2007014611.tif 000017
【図１６】
2007014611.tif 000018
【図１７】
2007014611.tif 000019
【図１８】
2007014611.tif 000020
【図１９】
2007014611.tif 000021
【図２０】
2007014611.tif 000022
【図２１】
2007014611.tif 000023
【図２２】
2007014611.tif 000024
【図２３】
2007014611.tif 000025
【図２４】
2007014611.tif 000026
【図２５】
2007014611.tif 000027
【図２６】
2007014611.tif 000028
【図２７】
2007014611.tif 000029